(57)【特許請求の範囲】
【請求項１】
異なる制御回路を有する本機および外部機器が、インターフェイスを介して通信可能に接続されるとともに、前記インターフェイスと前記本機の制御回路および前記外部機器の制御回路とが電気的に絶縁して接続され、前記インターフェイスは前記本機に備えられたインターフェイス用電源回路により稼動する回路構成において、前記本機側に設けられるインターフェイス内蔵電源装置であって、
本機側の制御回路を備えた制御基板とは異なる基板上に設けられ、
インターフェイス用電源回路と、前記外部機器側インターフェイスと通信可能な本機側インターフェイスと、前記本機側インターフェイスの信号制御を行うマイクロプロセッサとを有し、
前記マイクロプロセッサと前記本機側制御回路とを、前記マイクロプロセッサから前記本機側制御回路へ送信するフォトカプラ、および、前記本機側制御回路から前記マイクロプロセッサへ送信するフォトカプラを介して接続することを特徴とする、インターフェイス内蔵電源装置。
【請求項２】
異なる制御回路を有する遊技台および遊技媒体を供給する台間機が、インターフェイスを介して通信可能に接続されるとともに、前記インターフェイスと前記遊技台の制御回路および前記台間機の制御回路とが電気的に絶縁して接続され、前記インターフェイスは前記台間機に備えられたインターフェイス用電源回路により稼動する回路構成において、前記台間機側に設けられるインターフェイス内蔵電源装置であって、
台間機側の制御回路を備えた制御基板とは異なる基板上に設けられ、
インターフェイス用電源回路と、前記遊技台側インターフェイスと通信可能な台間機側インターフェイスと、前記台間機側インターフェイスの信号制御を行うマイクロプロセッサとを有し、
前記マイクロプロセッサと前記台間機側制御基板とを、前記マイクロプロセッサから前記台間機側制御回路へ送信するフォトカプラ、および、前記台間機側制御回路から前記マイクロプロセッサへ送信するフォトカプラを介して接続することを特徴とする、インターフェイス内蔵電源装置。
【発明の詳細な説明】
【技術分野】
【０００１】
本発明は、外部機器と通信を行うインターフェイスを有し、制御回路と電気的に絶縁して接続されるインターフェイス内蔵電源装置に関するものである。
【背景技術】
【０００２】
パチンコホール等の遊技施設では、ＣＲ機等の遊技台に隣接して、各遊技台に対応した玉貸機が設置されている。玉貸機は、遊技者が磁気カードやＩＣカード等のプリペイドカードを読み取らせたり、あるいは紙幣または硬貨を投入して、遊技者が指定した金額に応じた個数の遊技球を貸し出す装置である。
【０００３】
パチンコ等の遊技施設において、遊技台および玉貸機は、電気的ノイズが多い環境にあるため、異なる機器をケーブルで接続する際には、ノイズにより相互の機器の制御に支障が生じるのを防止する対策が必要である。従来は、遊技台と玉貸機との間で各種信号を通信するケーブルを接続する場合、例えば特許文献１に開示されているように、途中にフォトカプラやリレーなど、信号を絶縁する素子を用いて相互の信号を分離していた。また、これらのフォトカプラやリレー用に分離した専用電源を用いていた。
【０００４】
図１０は、異なる制御回路を有する本機と外部機器とがインターフェイスを介して通信される場合の従来の回路構成の概要を示す。外部機器３には、専用の制御回路１１とインターフェイス１２が設けられ、制御回路１１とインターフェイス１２はフォトカプラを介して接続されることにより、電気的に絶縁されている。本機２には、制御回路２１、制御回路用電源回路２２、および、制御回路用電源回路２２とは別のインターフェイス用電源回路２３が設けられている。さらに、外部機器３のインターフェイス１２から本機２へ送信される信号線１本毎に１つずつのフォトカプラ１３が信号線の途中に配置され、本機２の制御回路２１に対して電気的に絶縁された状態で接続される。このようにして、本機２および外部機器３は、互いに電気的ノイズ等の影響を受けずに作動できるように接続されている。
【０００５】
図１１は、図１０における本機２を、パチンコ遊技球等の貸出装置である玉貸機３２、外部機器３をＣＲ機３３としたときの従来の回路構成の概要を示す。従来の玉貸機３２では、図１１に示すように、１枚の制御基板３４に、ＣＲ機３３との間で信号の授受を行うインターフェイス４４、インターフェイス用電源回路４３、制御回路４１、および、インターフェイス用電源回路４３とは異なる制御基板用電源回路４２が備えられている。インターフェイス用電源回路４３には、ＣＲ機３３からＡＣ２４Ｖの電源を供給され、インターフェイス用電源回路４３により整流して生成されたＤＣ１８Ｖの電源がＣＲ機３３に供給されて、インターフェイス４４による信号の授受が行われる。即ち、いずれか一方が作動しないときにはインターフェイス４４による信号の授受が行われない。
【０００６】
ＣＲ機３３と、玉貸機３２のインターフェイス４４との間の制御信号は、通常約２０種類あり、図１１に示す従来の回路構成では、それぞれの信号線毎にフォトカプラを介して接続している。即ち、例えば２０種類の信号がある場合には、ＣＲ機３３と玉貸機３２のインターフェイス４４との間に、２０個のフォトカプラを用いていた。また、これらの各種信号の制御は、制御回路４１で行っていた。
【０００７】
【特許文献１】特開１０−２３４９８７号公報
【発明の開示】
【発明が解決しようとする課題】
【０００８】
しかしながら、特許文献１に記載されているように信号線毎に個々のフォトカプラを設けて絶縁する従来の回路構成によれば、高価なフォトカプラを数多く使用しなければならず、高コストとなっていた。また、これらのコネクタの接続が煩雑であった。しかも、インターフェイス４４による各種信号を制御回路４１で制御するため、制御回路４１の構造およびプログラム処理が複雑であった。
【０００９】
更に、従来は、図１１に示すように、玉貸機３２の制御回路４１とインターフェイス４４、および電源回路４２，４３をすべて１枚の基板３４上に構成しているため、制御回路４１に変更が生じると、全て作り直さなければならなかった。従って、手間がかかるうえ、大量生産ができなかった。
【００１０】
本発明の目的は、低コスト且つ簡易な構成で、制御回路とインターフェイス間の電気的ノイズを確実に防止することができるインターフェイス内蔵電源装置を提供することにある。
【課題を解決するための手段】
【００１１】
上記問題を解決するため、本発明は、異なる制御回路を有する本機および外部機器が、インターフェイスを介して通信可能に接続されるとともに、前記インターフェイスと前記本機の制御回路および前記外部機器の制御回路とが電気的に絶縁して接続され、前記インターフェイスは前記本機に備えられたインターフェイス用電源回路により稼動する回路構成において、前記本機側に設けられるインターフェイス内蔵電源装置であって、本機側の制御回路を備えた制御基板とは異なる基板上に設けられ、インターフェイス用電源回路と、前記外部機器側インターフェイスと通信可能な本機側インターフェイスと、前記本機側インターフェイスの信号制御を行うマイクロプロセッサとを有し、前記マイクロプロセッサと前記本機側制御回路とを、前記マイクロプロセッサから前記本機側制御回路へ送信するフォトカプラ、および、前記本機側制御回路から前記マイクロプロセッサへ送信するフォトカプラを介して接続することを特徴とするインターフェイス内蔵電源装置を提供する。
【００１２】
制御回路とマイクロプロセッサの間に双方向のフォトカプラを設けることにより、互いに電気的に絶縁され、ノイズ等の影響を受けるのを防ぐことができる。しかも、インターフェイスの各信号をマイクロプロセッサが集約するので、フォトカプラは、インターフェイスからの信号線の数に影響されることはなく、低コストで実施できる。また、制御回路と電源装置とを別の基板に設けることにより、制御回路に変更が生じた際にも、電源装置はそのまま継続使用できるので、電源装置の大量生産が可能となり、更にコストダウンを図れる。
【００１３】
また、本発明は、異なる制御回路を有する遊技台および遊技媒体を供給する台間機が、インターフェイスを介して通信可能に接続されるとともに、前記インターフェイスと前記遊技台の制御回路および前記台間機の制御回路とが電気的に絶縁して接続され、前記インターフェイスは前記台間機に備えられたインターフェイス用電源回路により稼動する回路構成において、前記台間機側に設けられるインターフェイス内蔵電源装置であって、台間機側の制御回路を備えた制御基板とは異なる基板上に設けられ、インターフェイス用電源回路と、前記遊技台側インターフェイスと通信可能な台間機側インターフェイスと、前記台間機側インターフェイスの信号制御を行うマイクロプロセッサとを有し、前記マイクロプロセッサと前記台間機側制御基板とを、前記マイクロプロセッサから前記台間機側制御回路へ送信するフォトカプラ、および、前記台間機側制御回路から前記マイクロプロセッサへ送信するフォトカプラを介して接続することを特徴とするインターフェイス内蔵電源装置を提供する。
【００１４】
これにより、電気的ノイズが多い環境にあるパチンコ等の遊技施設の遊技台と玉貸機とが互いにノイズ等の影響を受けるのを、低コストで防ぐことができる。
【発明の効果】
【００１５】
本発明によれば、低コスト且つ簡易な構成で、制御回路とインターフェイス間の電気的ノイズを確実に防止できる。そのため、制御回路に不具合が生じることを回避できる。さらに、制御回路の変更等の影響を受けることなく、大量生産が可能となる。
【発明を実施するための最良の形態】
【００１６】
以下、本発明の実施の形態を、図を参照して説明する。なお、本明細書および図面において、実質的に同一の機能構成を有する要素においては、同一の符号を付することにより重複説明を省略する。
【００１７】
図１は、本発明の実施の形態の概要を示し、異なる制御回路を有する本機２と外部機器３とがインターフェイスを介して通信される回路構成の概要を示す。外部機器３には、制御回路１１とインターフェイス１２が設けられ、制御回路１１とインターフェイス１２はフォトカプラを介して接続されることにより、電気的に絶縁されている。本機２には、制御回路２１および制御回路用電源回路２２と、制御回路用電源回路２２とは別のインターフェイス用電源回路２３が設けられている。
【００１８】
さらに、本発明では、図１に示すように、外部インターフェイス１２と本機２の制御回路２１との間に、ドライバ／レシーバ２４およびマイクロプロセッサ２５を設ける。ドライバ／レシーバ２４は、外部インターフェイス１２と信号のやり取りを行い、マイクロプロセッサ２５は、その信号の制御を行うとともに、本機２の制御回路２１との間でシリアル通信を行う。さらに、制御回路２１とマイクロプロセッサ２５との通信回路の途中にフォトカプラ２６を設けて、外部インターフェイス１２からの信号を、本機２の制御回路２１と電気的に絶縁する。このように、本機２および外部機器３を互いに電気的ノイズ等の影響を受けずに作動させるため、本機２の制御回路２１と外部インターフェイス１２とは、電気的に絶縁された状態で接続されている。また、本発明において、図１に示す本機２の回路構成のうち、制御回路２１と電源装置２０とは異なる基板上に形成される。
【００１９】
本発明では、本機２側のフォトカプラ２６は、マイクロプロセッサ２５と制御回路２１の間に、送受信用それぞれ１個ずつ使用するだけなので、外部インターフェイス１２から接続される信号線の数が増えてもフォトカプラ２６を増設する必要が無く、低コストで実施できる。また、インターフェイスからの信号制御をマイクロプロセッサ２５が行い、本機２の制御回路２１は、マイクロプロセッサ２５による処理結果の通知を受けたり指示を発信するだけでよいため、本機２の制御回路２１の構造を簡略化することができ、コストダウンにもつながる。さらに、インターフェイスの信号制御に変更があった場合には、従来のように本機２の制御回路２１の変更を行う必要がなく、マイクロプロセッサ２５のプログラム変更のみで対応できる。
【００２０】
次に、本発明にかかるインターフェイス内蔵電源装置２０を、パチンコ遊技機の一種であるＣＲ機に遊技球を貸し出す玉貸機に用いた場合について説明する。
【００２１】
ＣＲ機は、通常、背中合わせに２列に並べられ、図２に示すように、各ＣＲ機３３に隣接して、それぞれのＣＲ機３３に対応し、ＣＲ機用遊技球等の貸出装置である玉貸機３２が設けられている。玉貸機３２は、ＣＲ機３３を利用する遊技者に対して、磁気カードやＩＣカード等のプリペイドカードからデータを読み取り、遊技者から指定された金額に応じて、ＣＲ機３３へ所定数の遊技球を供給する。
【００２２】
図３は、ＣＲ機３３に接続される玉貸機３２の制御基板４０および本発明にかかるインターフェイス内蔵電源装置３０の回路構成の概要を示す。
【００２３】
本発明では、図３に示すように、制御回路４１のみを有する制御基板４０と、インターフェイス４４および電源回路４２，４３を有する電源装置３０とに分け、機能を分離させている。即ち、制御基板４０には制御回路４１が備えられ、制御基板４０とは別に、インターフェイス内蔵電源装置３０が設けられている。電源装置３０には、ＣＲ機３３との間で信号の授受を行うインターフェイス４４、インターフェイス用電源回路４３、インターフェイス用電源回路４３とは異なる制御基板用電源回路４２、および、インターフェイス４４による各種信号を制御するマイクロプロセッサ４５が備えられている。インターフェイス用電源回路４３には、ＣＲ機３３からＡＣ２４Ｖの電源を供給され、インターフェイス用電源回路４３により整流して生成されたＤＣ１８Ｖの電源が、ＣＲ機３３に供給され、インターフェイス４４による信号の授受が行われる。即ち、いずれか一方が作動しないときにはインターフェイス４４による信号の授受が行われないようになっている。
【００２４】
マイクロプロセッサ４５は、ＣＲ機３３からＡＣ２４Ｖの電源を供給されて稼動し、インターフェイス４４を介して各種信号の授受を行って、これらの信号処理を行い、判断結果を制御回路４１へ通知する。また、制御回路４１からの指示を受ける。マイクロプロセッサ４５と制御回路４１とは、フォトカプラ４６を介して通信ケーブル４７により接続される。これにより、マイクロプロセッサ４５と制御回路４１の間が電気的に絶縁される。フォトカプラ４６は、インターフェイス４４の信号の種類の数にかかわらず、送受信それぞれの向きに一対設けられる。
【００２５】
インターフェイス４４の信号は、全てマイクロプロセッサ４５による共通回路に接続され、マイクロプロセッサ４５で信号処理を行う。処理された制御信号は制御回路４１に通知され、制御回路４１は、出力指示及び入力通知を受け取るだけでよい。このため、制御回路４１ではインターフェイス４４の信号処理を行わなくてもすむので、制御回路４１の構造およびプログラム処理の簡略化が可能になり、制御基板４０の小型化及び低コスト化が可能となる。
【００２６】
制御基板用電源回路４２およびインターフェイス用電源回路４３は、電源断検知機能を有し、電源が断たれたときには、制御回路４１に直接通知するとともに、通信コマンドによる通知機能を備える。各電源４２，４３と制御回路４１との間には、それぞれフォトカプラ４８が設けられて、電気的に絶縁される。また、制御回路４１とインターフェイス用電源回路４３とが、制御回路４１からの指令によって制御回路４１からインターフェイス用電源回路４３に向けて導通する向きのフォトカプラ４９を介して接続されている。
【００２７】
次に、図３に示すＣＲ機３３の回路構成による動作について説明する。
【００２８】
図４は、ＣＲ機への表示指示の動作手順を示す。制御回路からＣＲ機へ表示指示が発信されると（Ｓ１）、図３に示す制御回路４１からマイクロプロセッサ４５へ送信するフォトカプラ４６ａが導通し、マイクロプロセッサ４５、インターフェイス４４を介して、ＣＲ機３３に通信され、表示出力が開始される（Ｓ２）。
【００２９】
図５は、スイッチ入力の動作手順を示す。遊技者がＣＲ機のスイッチを押すと（Ｓ３）、図３に示すインターフェイス４４、マイクロプロセッサ４５を介して、マイクロプロセッサ４５から制御回路４１へ送信するフォトカプラ４６ｂが導通し、制御回路４１にスイッチ入力が通知される（Ｓ４）。
【００３０】
図６は、遊技球の払い出し処理の手順を示す。制御回路から払い出しの指示が発信されると（Ｓ５）、図３に示す制御回路４１からマイクロプロセッサ４５へ送信するフォトカプラ４６ａが導通し、マイクロプロセッサ４５、インターフェイス４４を介して、払い出しの出力が開始され（Ｓ６）、終了したと判断される（Ｓ７）まで、ＣＲ機３３へ所定数の遊技球の払い出しが行われる。
【００３１】
図７は、エラー通知時の手順を示す。ＣＲ機でエラーが検知されると（Ｓ８）、図３に示すインターフェイス４４、マイクロプロセッサ４５を介して、マイクロプロセッサ４５から制御回路４１へ送信するフォトカプラ４６ｂが導通し、制御回路４１にエラー検知が通知される（Ｓ９）。
【００３２】
図８は、インターフェイスの電源がオンになる手順を示す。図５の手順により、ＣＲ機のＡＣ２４Ｖの電源がオンされると（Ｓ１０）、図３に示すインターフェイス４４、マイクロプロセッサ４５を介して、マイクロプロセッサ４５から制御回路４１へ送信する向きのフォトカプラ４６ｂが導通し、制御回路４１に通知される（Ｓ１１）。次に、制御基板用電源回路４２からの電源断検知がなく、制御回路４１の電源がオンであることを判断すると（Ｓ１２）、制御回路４１からインターフェイス用電源回路４３へ送信する向きのフォトカプラ４９が導通し、制御回路４１からインターフェイス用電源回路４３へ通信されて、インターフェイス用電源回路４３からＣＲ機３３へ、ＤＣ１８Ｖの電源が供給される（Ｓ１３）。
【００３３】
図９は、電源断検知の手順を示す。図３に示す制御基板用電源回路４２またはインターフェイス用電源回路４３のいずれかが電源断検知をすると（Ｓ１４)、各電源回路４２，４３から制御回路４１へ送信する向きのフォトカプラ４８が導通し、直接制御回路４１へ電源断検知が通知される（Ｓ１５）。
【００３４】
上記のように、本発明によれば、例えばＣＲ機用玉貸機の電源にインターフェイスを統合して、制御基板から分離した電源装置を設け、電源装置にマイクロプロセッサを搭載している。即ち、電源装置３０がインターフェイス機能を有するため、制御基板４０の機能を簡略化させてコストダウンを図ることができる。また、電源装置内でインターフェイス用コネクタを統合し、マイクロプロセッサ４５と制御回路４１との間に設けるフォトカプラ４６を送受信用の一対のみとしたことにより、インターフェイス用コネクタ毎にフォトカプラを設けていた従来の場合に比べて、フォトカプラの数を大幅に減らすことができ、コストダウンが図れる。さらに、インターフェイス用コネクタを統合することにより、配線構造が簡略化されるので、生産性を向上させることができる。
【００３５】
また、玉貸機３２の制御回路４１に変更が生じた際にも、電源装置３０はそのまま使用できるので、電源装置３０だけを大量生産することにより、更にコストダウンを図れる。しかも、簡略化された制御回路４１の変更箇所のみを変更すればよいので、開発期間を短縮することができる。
【００３６】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。例えば、本発明の実施の形態として、パチンコ遊技機のＣＲ機用玉貸機の制御について説明したが、本発明はこれに限ることはない。
【産業上の利用可能性】
【００３７】
本発明は、外部機器同士の間で電気的ノイズの影響を受けずに信号通信を行う各種機器の電源装置に適用できる。
【図面の簡単な説明】
【００３８】
【図１】本発明の電源装置を用いた回路構成を示すブロック図。
【図２】本発明が適用されるＣＲ機と玉貸機の外観を示す正面図。
【図３】本発明の電源装置をＣＲ機用玉貸機に用いた場合の回路構成を示すブロック図。
【図４】本発明による動作の例を示すフローチャート。
【図５】本発明による異なる動作の例を示すフローチャート。
【図６】本発明による更に異なる動作の例を示すフローチャート。
【図７】本発明による更に異なる動作の例を示すフローチャート。
【図８】本発明による更に異なる動作の例を示すフローチャート。
【図９】本発明による更に異なる動作の例を示すフローチャート。
【図１０】従来の回路構成の例を示すブロック図。
【図１１】従来のＣＲ機用玉貸機内部の回路構成を示すブロック図。
【符号の説明】
【００３９】
２    本機
３    外部機器
１１  外部制御回路
１２  外部インターフェイス
１３、２６、４６、４８、４９  フォトカプラ
２０、３０  電源装置
２１、４１  制御回路
２２  制御回路用電源回路
２３、４３  インターフェイス用電源回路
２４  ドライバ／レシーバ
２５、４５  マイクロプロセッサ
３２  玉貸機
３３  ＣＲ機
４０  制御基板
４２  制御基板用電源回路
４４  インターフェイス
【図１】
0005081649.tif 000002
【図２】
0005081649.tif 000003
【図３】
0005081649.tif 000004
【図４】
0005081649.tif 000005
【図５】
0005081649.tif 000006
【図６】
0005081649.tif 000007
【図７】
0005081649.tif 000008
【図８】
0005081649.tif 000009
【図９】
0005081649.tif 000010
【図１０】
0005081649.tif 000011
【図１１】
0005081649.tif 000012